(57)【要約】【課題】物理アップリンク共有チャネルのシグナリング構成の方法及びシステムを提供する。【解決手段】本発明は物理アップリンク共有チャネルのシグナリング構成のための方法及びシステムを開示する。前記システムは基地局及びターゲットユーザ端末を含む。前記方法では、基地局が物理ダウンリンク制御チャネルを介してターゲットユーザ端末にダウンリンク制御情報を送信する。、前記ダウンリンク制御情報には、マルチアンテナポート伝送及び／又はシングルアンテナポート伝送の物理アップリンク共有チャネルをスケジューリングすることに用いられる直交カバーコード情報及び／又は循環シフト情報が含まれる。【選択図】図５
2013516863.tif 000002
【特許請求の範囲】
【請求項１】
基地局が物理ダウンリンク制御チャネルを介してターゲットユーザ端末にダウンリンク制御情報を送信し、
前記ダウンリンク制御情報には、復調基準信号の、直交カバーコード情報及び／又は復調基準信号のための循環シフト情報が含まれ、
前記ダウンリンク制御情報がマルチアンテナポート伝送及び／又はシングルアンテナポート伝送の物理アップリンク共有チャネルをスケジューリングすることに用いられる
物理アップリンク共有チャネルのシグナリング構成のための方法。
【請求項２】
前記ダウンリンク制御情報には、前記復調基準信号のための循環シフトと前記復調基準信号のための直交カバーコードとを統合するインジケータ情報が含まれる
請求項１に記載のシグナリング構成のための方法。
【請求項３】
前記復調基準信号のための循環シフトと前記復調基準信号のための直交カバーコードとを統合する前記インジケータ情報は、３ビット又は４ビットであり、直交リソース（ｎ（２）ＤＭＲＳ（０）、ｎｏｃｃ）の統合を用いて前記基地局から前記ターゲットユーザ端末への送信された前記復調基準信号のための前記循環シフト及び前記復調基準信号のための前記直交カバーコードを表示することに用いられ、
ｎ（２）ＤＭＲＳ（０）は、前記基地局が、前記ダウンリンク制御情報を用いて、前記ターゲットユーザ端末の空間多重の第０階層データにおける前記復調基準信号の前記循環シフトを提示し、又は、空間多重の各階層データにおける前記復調基準信号の前記循環シフトの基準値や初期値やベース値を提示し、又は、シングルアンテナポート伝送モードのユーザの前記復調基準信号の前記循環シフト情報を提示することを表し、
ｎｏｃｃは、前記ターゲットユーザ端末の空間多重の第０階層データにおける前記復調基準信号のための直交カバーコードインデックスを表し、又は、シングルアンテナポート伝送モードのユーザの前記復調基準信号のための直交カバーコードインデックスを表す
請求項２に記載のシグナリング構成のための方法。
【請求項４】
前記３ビットの前記復調基準信号のための前記信号循環シフトと前記復調基準信号のための前記直交カバーコードとを統合する前記インジケータ情報は、８つの直交リソース（ｎ（２）ＤＭＲＳ（０）、ｎｏｃｃ）を提示することに用いられ、
前記８つの直交リソース（ｎ（２）ＤＭＲＳ（０）、ｎｏｃｃ）は、
（０、０）、（３、０）、（６、０）、（９、０）、（０、１）、（３、１）、（６、１）及び（９、１）、
又は、（０、０）、（３、０）、（６、０）、（９、０）、（２、１）、（４、１）、（８、１）及び（１０、１）、
又は、（２、０）、（４、０）、（８、０）、（１０、０）、（０、１）、（３、１）、（６、１）及び（９、１）、
又は、（２、０）、（４、０）、（８、０）、（１０、０）、（２、１）、（４、１）、（８、１）及び（１０、１）を含む
請求項３に記載のシグナリング構成のための方法。
【請求項５】
前記４ビットの前記復調基準信号の前記循環シフトと前記復調基準信号の前記直交カバーコードとを統合する前記インジケータ情報は、１６個の直交リソース（ｎ（２）ＤＭＲＳ（０）、ｎｏｃｃ）を提示することに用いられ、
前記１６個の直交リソース（ｎ（２）ＤＭＲＳ（０）、ｎｏｃｃ）は、
（０、０）、（２、０）、（３、０）、（４、０）、（６、０）、（８、０）、（９、０）、（１０、０）、（０、１）、（２、１）、（３、１）、（４、１）、（６、１）、（８、１）、（９、１）及び（１０、１）を含む
請求項３に記載のシグナリング構成のための方法。
【請求項６】
前記ダウンリンク制御情報には、復調基準信号情報及び／又は前記復調基準信号の前記直交カバーコード情報が含まれる
請求項１に記載のシグナリング構成のための方法。
【請求項７】
シングルアンテナポート伝送モードにとっては、前記復調基準信号のための循環シフトが、シングルアンテナポート伝送の物理アップリンク共有チャネルの前記復調基準信号のための循環シフト情報であり、
マルチアンテナポート伝送モードにとっては、前記復調基準信号の前記循環シフトが、空間多重の第０階層データにおける前記復調基準信号のための循環シフトであり、又は、空間多重の各階層データにおける前記復調基準信号のための循環シフト情報の基準値や初期値やベース値である
請求項６に記載のシグナリング構成のための方法。
【請求項８】
前記復調基準信号のための循環シフトは１ビット、又は２ビット、又は３ビットである
請求項６に記載のシグナリング構成のための方法。
【請求項９】
前記復調基準信号のための循環シフトは、
０、６、
又は、０、３、６、９、
又は、０、２、３、４、６、８、９、１０を含む
請求項８に記載のシグナリング構成のための方法。
【請求項１０】
前記復調基準信号のための前記直交カバーコード情報は１ビットの直交カバーコードイネーブル／構成情報である
請求項６に記載のシグナリング構成のための方法。
【請求項１１】
周波数ホッピングがイネーブルでないか、チャネル状態指示要求がイネーブルでないか、レイヤシフティングがイネーブルである場合に、前記１ビットの直交カバーコードイネーブル／構成情報が、前記ダウンリンク制御情報における周波数ホッピングフラグか、チャネル状態指示要求ビットか、トランスポートブロックからコードワードへのスワップマッピングフラグによって置き替えられる
請求項１０に記載のシグナリング構成のための方法。
【請求項１２】
シングルアンテナポート又はシングルトランスポートブロックの伝送モードにとっては、前記１ビットの直交カバーコードイネーブル／構成情報が、ダウンリンク制御情報におけるトランスポートブロックからコードワードへのスワップマッピングフラグ又はレイヤシフティングイネーブルフラグによって置き替えられ、
マルチアンテナポート又はダブルトランスポートブロックの伝送モードにとっては、前記１ビットの直交カバーコードがイネーブルである、又は構成情報がデフォルトでイネーブルでないか構成されない
請求項１０に記載のシグナリング構成のための方法。
【請求項１３】
前記ダウンリンク制御情報には、復調基準信号のための循環シフトが含まれ、
更に、ネットワーク側が上位階層シグナリングを介して直交カバーコード情報をユーザ端末に通知する
請求項１に記載のシグナリング構成のための方法。
【請求項１４】
シングルアンテナポート伝送モードにとっては、前記復調基準信号のための循環シフトはシングルアンテナポート伝送の物理アップリンク共有チャネルの復調基準信号のための循環シフトであり、
マルチアンテナポート伝送モードにとっては、前記復調基準信号のための循環シフトが、空間多重の第０階層データにおける復調基準信号のための循環シフト、又は空間多重の各階層データにおける復調基準信号のための循環シフトの基準値か初期値かベース値である
請求項１３に記載のシグナリング構成のための方法。
【請求項１５】
前記通知ステップでは、前記直交カバーコード情報が直交カバーコードイネーブル／構成情報であり、直交カバーコードのイネーブル／構成は無線リソース制御（ＲＲＣ）のシグナリングを介してユーザ端末に通知する
請求項１３に記載のシグナリング構成のための方法。
【請求項１６】
前記ダウンリンク制御情報には、復調基準信号のための循環シフトとプレコーディング情報が含まれ、
シングルアンテナポート伝送モードの復調基準信号のみに対して直交カバーコードを使用する場合、プレコーディング情報では、２つの所定のプレコーディング情報値が、シングルアンテナポート伝送モード及び復調基準信号のための直交カバーコードを提示することに用いられ、
当該２つの所定のプレコーディング情報値及び保留値以外の他のプレコーディング情報値は、マルチアンテナポート伝送モードを提示することに用いられ、直交カバーコードは復調基準信号を使用しない
請求項１に記載のシグナリング構成のための方法。
【請求項１７】
基地局及びターゲットユーザ端末を含み、
前記基地局は、物理ダウンリンク制御チャネルを介してターゲットユーザ端末にダウンリンク制御情報を送信し、
前記ターゲットユーザ端末は、前記物理ダウンリンク制御チャネルで前記ダウンリンク制御情報を受信し、直交カバーコード情報及び／又は循環シフト情報を取得し、
前記ダウンリンク制御情報には、マルチアンテナポート伝送及び／又はシングルアンテナポート伝送の物理アップリンク共有チャネルをスケジューリングすることに用いられる直交カバーコード情報及び／又は循環シフト情報が含まれる
物理アップリンク共有チャネルのシグナリング構成のためのシステム。
【請求項１８】
前記ダウンリンク制御情報には、基準信号のための循環シフトと基準信号のための直交カバーコードとを統合するインジケータ情報が含まれる
請求項１７に記載のシグナリング構成のためのシステム。
【請求項１９】
前記ダウンリンク制御情報には、復調基準信号のための循環シフト及び復調基準信号のための直交カバーコード情報が含まれる
請求項１７に記載のシグナリング構成のためのシステム。
【請求項２０】
前記ダウンリンク制御情報には、復調基準信号のための循環シフトが含まれ、
前記基地局が、更に、上位階層シグナリングを介して直交カバーコード情報をユーザ端末に通知する
請求項１７に記載のシグナリング構成のためのシステム。
【請求項２１】
前記ダウンリンク制御情報には、復調基準信号のための循環シフトを含む基準信号情報及びプレコーディング情報が含まれ、
前記基地局が、シングルアンテナポート伝送モードの復調基準信号のみに対して直交カバーコードを使用する場合、プレコーディング情報では、２つの所定のプレコーディング情報値が、シングルアンテナポート伝送モード及び復調基準信号のための直交カバーコードを提示することに用いられ
当該２つの所定のプレコーディング情報値及び保留値以外の他のプレコーディング情報値が、マルチアンテナポート伝送モードを提示することに用いられ、前記直交カバーコードは前記復調基準信号を使用しない
請求項１７に記載のシグナリング構成のためのシステム。
【発明の詳細な説明】
【技術分野】
【０００１】
本発明は移動通信分野に関し、特に、物理アップリンク共有チャネルに用いられるシグナリング構成のための方法及びシステムに関する。
【背景技術】
【０００２】
第３世代パートナーシッププロジェクトロングタームエボリューション（Ｔｈｅ  ３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ：３ＧＰＰ  ＬＴＥ）システムでは、基地局集中スケジューリングの方式を用いてユーザ端末（Ｕｓｅｒ  Ｅｑｕｉｐｍｅｎｔ：ＵＥ）の物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）の伝送を制御する。
【０００３】
物理アップリンク共有チャネル（ＰＵＳＣＨ）に対するアップリンクスケジューリング情報（ｕｐｌｉｎｋ  ｓｃｈｅｄｕｌｉｎｇ  ｉｎｆｏｒｍａｔｉｏｎ）は、基地局によって物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）を介してターゲットＵＥに送信される。アップリンクスケジューリング情報は制御情報を含む。この制御情報は、そのチャネルに関連するリソース割り当て、変調及び符号化方式、復調基準信号（Ｄｅｍｏｄｕｌａｔｉｏｎ  Ｒｅｆｅｒｅｎｃｅ  Ｓｉｇｎａｌ：ＤＭＲＳ）のための循環シフト（Ｃｙｃｌｉｃ  ｓｈｉｆｔ）等である。
【０００４】
物理ダウンリンク制御チャネル（ＰＤＣＣＨ）は、アップリンクスケジューリングやダウンリンクスケジューリング情報、またアップリンクパワー制御情報を搬送することにも用いられる。ダウンリンク制御情報（Ｄｏｗｎｌｉｎｋ  Ｃｏｎｔｒｏｌ  Ｉｎｆｏｒｍａｔｉｏｎ：ＤＣＩ）フォーマット（ｆｏｒｍａｔ）は、
ＤＣＩ  ｆｏｒｍａｔ０、１、１Ａ、１Ｂ、１Ｃ、１Ｄ、２、２Ａ、３、３Ａ等という複数種がある。
ＤＣＩ  ｆｏｒｍａｔ０は物理アップリンク共有チャネル（Ｐｈｙｓｉｃａｌ  ｕｐｌｉｎｋ  ｓｈａｒｅｄ  ｃｈａｎｎｅｌ：ＰＵＳＣＨ）のスケジューリングを表示することに用いられ、
ＤＣＩ  ｆｏｒｍａｔ１、１Ａ、１Ｂ、１Ｃ、１Ｄは単一トランスポートブロックの物理ダウンリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）の異なる伝送モードに用いられ、
ＤＣＩ  ｆｏｒｍａｔ２、２Ａは空間分割多重の異なる伝送モードに用いられ、
ＤＣＩ  ｆｏｒｍａｔ３、３Ａは物理アップリンク制御チャネル（Ｐｈｙｓｉｃａｌ  ｕｐｌｉｎｋ  ｃｏｎｔｒｏｌ  ｃｈａｎｎｅｌ：ＰＵＣＣＨ）とＰＵＳＣＨのパワー制御コマンドの伝送に用いられる。
【０００５】
ＬＴＥ−Ａｄｖａｎｃｅｄシステム（ＬＴＥ−Ａシステム）はＬＴＥシステムの次世代発展型システムである。ＬＴＥ関連技術では、アップリンクスケジューリングＤＣＩ  ｆｏｒｍａｔ０はアップリンクマルチアンテナ伝送をサポートしておらず、ＬＴＥ−Ａアップリンクマルチアンテナ伝送の場合、シグナル指示の機能を追加するために、ＤＣＩ  ｆｏｒｍａｔＸと呼ばれる新しいフォーマットをアップリンクスケジューリングＤＣＩに追加するか、又は、既存シグナリングタイプＤＣＩ  ｆｏｒｍａｔ０に基づくシグナルの長さを延ばす必要がある。
【０００６】
ＬＴＥシステムでは、ＤＣＩ  ｆｏｒｍａｔ０は以下のような具体的な情報を含む。
・ＤＣＩ  ｆｏｒｍａｔ０とＤＣＩ  ｆｏｒｍａｔ１Ａを区別するためのフラグ
・周波数ホッピングフラグ
・リソースブロック割り当て及び周波数ホッピングリソース割り当て
・変調及び符号化方式（Ｍｏｄｕｌａｔｉｏｎ  ａｎｄ  Ｃｏｄｉｎｇ  Ｓｃｈｅｍｅ：ＭＣＳ）及び冗長バージョン（Ｒｅｄｕｎｄａｎｃｙ  Ｖｅｒｓｉｏｎ：ＲＶ）
・新データインジケータ（Ｎｅｗ  ｄａｔａ  ｉｎｄｉｃａｔｏｒ：ＮＤＩ）
・スケジューリングしたＰＵＳＣＨに用いる送信パワー制御コマンド（ＴＰＣ  ｃｏｍｍａｎｄ  ｆｏｒ  ｓｃｈｅｄｕｌｅｄ  ＰＵＳＣＨ）
・復調基準信号のための循環シフト（Ｃｙｃｌｉｃ  ｓｈｉｆｔ  ｆｏｒ  ＤＭ  ＲＳ）
・アップリンクインデックス（ＵＬ  ｉｎｄｅｘ）（但し、時分割複信（Ｔｉｍｅ  Ｄｉｖｉｓｉｏｎ  Ｄｕｐｌｅｘ：ＴＤＤ）システムのみに存在し、アップダウンリンク構成（Ｕｐｌｉｎｋ−ｄｏｗｎｌｉｎｋ  ｃｏｎｆｉｇｕｒａｔｉｏｎ）が０である場合に用いられる。）
・ダウンリンク割当てインデックス（Ｄｏｗｎｌｉｎｋ  Ａｓｓｉｇｎｍｅｎｔ  Ｉｎｄｅｘ：ＤＡＩ）（但し、時分割複信システムのみに存在し、アップダウンリンク構成が１〜６である場合に用いられる。）
・チャネル状態指示要求（ＣＱＩ  ｒｅｑｕｅｓｔ）、
【０００７】
表１に示すように、ＤＣＩ  ｆｏｒｍａｔ０は、スケジューリングしたＰＵＳＣＨの復調基準信号のための循環シフトを表す。
【０００８】
【表１】
2013516863.tif 000003
【０００９】
ＬＴＥ−Ａシステムでは、物理アップリンク共有チャネル（ＰＵＳＣＨ）が、シングルアンテナポート伝送を用いてよく、マルチアンテナポート伝送を用いてもよい。図１は従来のＬＴＥ−Ａがマルチアンテナポート伝送を用いる物理アップリンク共有チャネルの送信側ベースバンド信号処理模式図である。
【００１０】
図１では、マルチアンテナポートが伝送する場合に、ＬＴＥ−Ａが１つ又は２つのコードワード（Ｃｏｄｅｗｏｒｄ：ＣＷ）に基づいた空間多重をサポートする。各コードワードは１つの伝送ブロック（Ｔｒａｎｓｐｏｒｔ  Ｂｌｏｃｋ：ＴＢ）に対応し、又は、トランスポートブロックからコードワードへのスワップマッピングフラグ（ｔｒａｎｓｐｏｒｔ  ｌｏｃｋ  ｔｏ  ｃｏｄｅｗｏｒｄ  ｓｗａｐ  ｆｌａｇ）によって伝送ブロックとコードワードの対応関係が変更可能である。このため、ＬＴＥ−Ａが単一トランスポートブロック又はダブルトランスポートブロックの伝送モードをサポートする。
【００１１】
コードワードは更に階層（ｌａｙｅｒ）にマッピングされ、各コードワードは１階層又は２階層のデータにマッピングされる。図２はコードワードから階層へのマッピング方法の模式図である。以下、２つのコードワード、４本の送信アンテナを例とし、コードワードから階層へのマッピングモジュールの機能を簡単に説明する。２つのコードワードが２階層にマッピングされる場合に、コードワード０が第１階層に直接マッピングされ、コードワード１が第２階層に直接マッピングされる。２つのコードワードが３階層にマッピングされる場合に、コードワード０が第１階層に直接マッピングされ、コードワード１が直列／並列の変換後、第２階層と第３階層にマッピングされる。２つのコードワードが４階層にマッピングされる場合に、コードワード０が直列並列の変換後、第１階層と第２階層にマッピングされ、コードワード１が直列並列の変換後、第３階層と第４階層にマッピングされる。
【００１２】
プレコーディングの前に、各階層データが、独立で、又は、並行に処理されてもよく、レイヤシフティング技術（Ｌａｙｅｒ  Ｓｈｉｆｔｉｎｇ：ＬＳ）を用いて、空間多重の多階層データを、１つの変調符号や、１つのＤＦＴ−Ｓ−ＯＦＤＭ符号や、１つのタイムスロットでシフトしてもよい。図３はレイヤシフティング前後の効果を示した模式図である。図３に示すように、レイヤシフティングモジュールが送信側で選択可能な構成であり、即ち、場合によってはこの機能モジュールがオフであってもよく、換言すると、レイヤシフティングがイネーブルでなくてもよい。
【００１３】
ダブルコードワード空間多重が用いられ、且つレイヤシフティングがイネーブルでない場合に、２つのコードワードで独立な速度制御、チャネル符号化及び変調が行われ、２つのコードワードが独立なハイブリッド自動再送要求（Ｈｙｂｒｉｄ  Ａｕｔｏｍａｔｉｃ  Ｒｅｐｅａｔ−ｒｅＱｕｅｓｔ  ｐｒｏｃｅｓｓ：ＨＡＲＱ  ｐｒｏｃｅｓｓ）を割り当てられる。ダブルコードワード空間多重が用いられ、且つレイヤシフティングが用いられる場合に、２つのコードワードで空間バンドル（Ｓｐａｔｉａｌ  Ｂｕｎｄｌｉｎｇ）され、２つのコードワードは、同一の変調符号化方式を有し、１つのハイブリッド自動再送要求が割り当てられる。
【００１４】
ＬＴＥ−Ａはコードブック（ｃｏｄｅｂｏｏｋ：電信暗号帳とも称する）に基づいた線形プレコーディング（ｐｒｅｃｏｄｉｎｇ）技術を用いる。プレコーディング技術はチャネル状態情報（Ｃｈａｎｎｅｌ  Ｓｔａｔｕｓ  Ｉｎｆｏｒｍａｔｉｏｎ：ＣＳＩ）を用いて送信側で信号を予め処理し、マルチアンテナシステム性能を向上させる。送信側がＣＳＩを取得する１つのルートは、受信側のフィードバックを介することである。フィードバックコストを低減するために、一般的に用いる方式は受信側と送信側で同じコードブック（ｃｏｄｅｂｏｏｋ）、即ちプレコーディングマトリックスセットを保存する。受信側が現在チャネル状況に応じて、コードブックから適切なプレコーディングマトリックスを選択してセットにおけるそれのインデックス値（Ｐｒｅｃｏｄｉｎｇ  Ｍａｔｒｉｘ  Ｉｎｄｅｘ：ＰＭＩ）を送信側にフィードバックし、送信側がフィードバックされたプレコーディングマトリックスインデックスによってプレコーディングマトリックスを見つけ、そして送信信号に対してプレコーディングを行う。データプレコーディングの数学モデルがｙ＝ＨＷｓ＋ｎであり、ここでｙが受信信号ベクトルであり、Ｈがチャネル係数マトリックスであり、Ｗがプレコーディングマトリックスであり、ｓが信号ベクトルであり、ｎがノイズベクトルである。
【００１５】
ＬＴＥ−Ａシステムでは、物理アップリンク共有チャネルがマルチアンテナポート伝送を用いる場合に、各階層データの復調基準信号（Ｄｅｍｏｄｕｌａｔｉｏｎ  Ｒｅｆｅｒｅｎｃｅ  Ｓｉｇｎａｌ：ＤＭＲＳ）が各階層データと同様にプレコーディングを行う。階層が異なったデータの復調基準信号は、シングルユーザマルチ入力マルチ出力（ＳＵ−ＭＩＭＯ）システムにおける同一のユーザ端末での多階層データの復調基準信号と、マルチユーザマルチ入力マルチ出力（ＭＵ−ＭＩＭＯ）システムにおける複数のユーザ端末での多階層データの復調基準信号とを含む。異なった復調基準信号循環シフト（Ｃｙｃｌｉｃ  Ｓｈｉｆｔ：ＣＳ）及び／又は直交カバーコード（Ｏｒｔｈｏｇｏｎａｌ  Ｃｏｖｅｒ  Ｃｏｄｅ：ＯＣＣ）は、空間多重の階層が異なったデータを区別し、又は、異なったユーザを区別するために用いられる。このため、循環シフトと直交カバーコード（ｎ（２）ＤＭＲＳ（０）、ｎｏｃｃ）で直交リソースを示す。ここで、直交カバーコード（ＯＣＣ）が［＋１：＋１］と［＋１：−１］である。この直交カバーコード（ＯＣＣ）が１つのサブフレーム（Ｓｕｂｆｒａｍｅ）における２つタイムスロット（Ｓｌｏｔ）上の復調基準信号に作用する。図４に示すように、物理アップリンク共有チャネル（ＰＵＳＣＨ）の各サブフレームが２つのタイムスロットを含み、各タイムスロットが６つのデータ符号及び１つの復調基準信号を有する。
【００１６】
ＬＴＥシステム（ＰＵＳＣＨ）のアップリンクスケジューリング情報は、当該チャネルに関連するリソース割り当て、変調及び符号化方式、復調基準信号（Ｄｅｍｏｄｕｌａｔｉｏｎ  Ｒｅｆｅｒｅｎｃｅ  Ｓｉｇｎａｌ：ＤＭＲＳ）のための循環シフト（Ｃｙｃｌｉｃ  ｓｈｉｆｔ）等の制御情報を含む。しかしながら、現在、ＯＣＣのシグナリングインジケータ情報が含まれていない。ＬＴＥ−Ａシステムでは、ＯＣＣを通知するために如何にシグナリングを合理的に設計するか、又は、如何に１つのシグナリングでＣＳとＯＣＣを統合して通知するかが、解決しなければならない問題である。
【発明の開示】
【発明が解決しようとする課題】
【００１７】
本発明が解決しようとする技術問題は、物理アップリンク共有チャネルのシグナリング構成の方法及びシステムを提供し、また、現在のＬＴＥシステムにおいて物理アップリンク共有チャネルのアップリンクスケジューリング情報における直交カバーコード（ＯＣＣ）情報の通知の問題を解決することにある。
【課題を解決するための手段】
【００１８】
上記問題を解決するために、本発明は物理アップリンク共有チャネルのシグナリング構成のための方法を提供し、当該方法は、
基地局が物理ダウンリンク制御チャネルを介してターゲットユーザ端末にダウンリンク制御情報を送信し、前記ダウンリンク制御情報には、復調基準信号のための直交カバーコード情報及び／又は復調基準信号のための循環シフト情報が含まれ、前記ダウンリンク制御情報がマルチアンテナポート伝送及び／又はシングルアンテナポート伝送の物理アップリンク共有チャネルをスケジューリングすることに用いられる。
【００１９】
前記ダウンリンク制御情報には、復調基準信号のための循環シフトと直交カバーコードとの統合インジケータ情報が含まれる。
【００２０】
前記復調基準信号のための循環シフトと直交カバーコードとの統合インジケータ情報は、３ビット又は４ビットであり、直交リソース（ｎ（２）ＤＭＲＳ（０）、ｎｏｃｃ）統合を用いて基地局からターゲットユーザ端末への送信された復調基準信号のための循環シフト及び直交カバーコードを表示することに用いられ、
ｎ（２）ＤＭＲＳ（０）は、基地局がダウンリンク制御情報を用いて、ターゲットユーザ端末の空間多重の第０階層データにおける復調基準信号のための循環シフトを提示し、又は空間多重の各階層データにおける復調基準信号のための循環シフトのための基準値か初期値かベース値を提示し、又はシングルアンテナポート伝送モードのユーザの復調基準信号のための循環シフトを提示することを表し、
ｎｏｃｃは、ターゲットユーザ端末の空間多重の第０階層データにおける復調基準信号のための直交カバーコードインデックスを表し、又はシングルアンテナポート伝送モードのユーザの復調基準信号のための直交カバーコードインデックスを表す。
【００２１】
前記３ビットの復調基準信号循環シフトと直交カバーコードを統合するインジケータ情報は、８つの直交リソース（ｎ（２）ＤＭＲＳ（０）、ｎｏｃｃ）を提示し、
前記８つの直交リソース（ｎ（２）ＤＭＲＳ（０）、ｎｏｃｃ）は、
（０、０）、（３、０）、（６、０）、（９、０）、（０、１）、（３、１）、（６、１）及び（９、１）、
又は、（０、０）、（３、０）、（６、０）、（９、０）、（２、１）、（４、１）、（８、１）及び（１０、１）、
又は、（２、０）、（４、０）、（８、０）、（１０、０）、（０、１）、（３、１）、（６、１）及び（９、１）、
又は、（２、０）、（４、０）、（８、０）、（１０、０）、（２、１）、（４、１）、（８、１）及び（１０、１）を含む。
【００２２】
前記４ビットの復調基準信号循環シフトと直交カバーコードとを統合するインジケータ情報は、１６個の直交リソース（ｎ（２）ＤＭＲＳ（０）、ｎｏｃｃ）を提示し、
前記１６個の直交リソース（ｎ（２）ＤＭＲＳ（０）、ｎｏｃｃ）は、
（０、０）、（２、０）、（３、０）、（４、０）、（６、０）、（８、０）、（９、０）、（１０、０）、（０、１）、（２、１）、（３、１）、（４、１）、（６、１）、（８、１）、（９、１）及び（１０、１）を含む。
【００２３】
前記ダウンリンク制御情報には、復調基準信号情報及び／又は復調基準信号のための直交カバーコード情報が含まれる。
【００２４】
シングルアンテナポート伝送モードにとっては、前記復調基準信号のための循環シフトがシングルアンテナポート伝送における物理アップリンク共有チャネルの復調基準信号のための循環シフトであり、
マルチアンテナポート伝送モードにとっては、前記復調基準信号のための循環シフトが空間多重の第０階層データにおける復調基準信号のための循環シフト、又は空間多重の各階層データにおける復調基準信号のための循環シフトの基準値か初期値かベース値である。
【００２５】
前記復調基準信号のための循環シフトは１ビット、又は２ビット、又は３ビットである。
前記復調基準信号のための循環シフトは、０、６、又は０、３、６、９、又は０、２、３、４、６、８、９、１０を含む。
前記復調基準信号のための直交カバーコード情報は、１ビットの直交カバーコードイネーブル情報又は１ビットの直交カバーコードイネーブル構成情報（１ビットの直交カバーコードイネーブル／構成情報）である。
【００２６】
当該方法は、更に、周波数ホッピングがイネーブルでないか、チャネル状態指示要求がイネーブルでないか、レイヤシフティングがイネーブルである場合に、前記１ビットの直交カバーコードイネーブル／構成情報が、ダウンリンク制御情報における、周波数ホッピングフラグか、チャネル状態指示要求ビットか、トランスポートブロックからコードワードへのスワップマッピングフラグによって置き替えられる。
【００２７】
シングルアンテナポート伝送モードにとっては、前記１ビットの直交カバーコードイネーブル又は構成情報が、ダウンリンク制御情報における、トランスポートブロックからコードワードへのスワップマッピングフラグか、レイヤシフティングイネーブルフラグによって置き替えられる。マルチアンテナポート伝送モードにとっては、前記１ビットの直交カバーコードがイネーブルであるか、構成情報がデフォルトでイネーブルでないか構成されない。
【００２８】
前記ダウンリンク制御情報には、復調基準信号のための循環シフトが含まれ、前記シグナリング構成のための方法は、更に、ネットワーク側が上位階層シグナリングを介して直交カバーコード情報をユーザ端末に通知する。
【００２９】
シングルアンテナポート伝送モードにとっては、前記復調基準信号のための循環シフトは、シングルアンテナポート伝送の物理アップリンク共有チャネルにおける復調基準信号のための循環シフトである。また、マルチアンテナポート伝送モードにとっては、前記復調基準信号のための循環シフトは、空間多重の第０階層データにおける復調基準信号のための循環シフト、又は空間多重の各階層データにおける復調基準信号のための循環シフトの基準値か初期値かベース値である。
【００３０】
前記通知ステップでは、前記直交カバーコード情報は、直交カバーコードイネーブル／構成情報であり、直交カバーコードのイネーブル／構成情報は無線リソース制御（ＲＲＣ）のシグナリングを介してユーザ端末に通知する。
【００３１】
前記ダウンリンク制御情報には、復調基準信号のための循環シフトとプレコーディング情報が含まれる。シングルアンテナポート伝送モードの復調基準信号のみに対して直交カバーコードを使用する場合、プレコーディング情報では、２つの所定のプレコーディング情報値がシングルアンテナポート伝送モード及び復調基準信号のための直交カバーコードを表示することに用いられる。当該２つの所定のプレコーディング情報値及び保留値以外の他のプレコーディング情報値はマルチアンテナポート伝送モードを表示することに用いられ、直交カバーコードは復調基準信号に使用されない。
【００３２】
本発明は更に物理アップリンク共有チャネルのシグナリング構成のためのシステムを提供し、当該システムは基地局及びターゲットユーザ端末を含む。
基地局は、物理ダウンリンク制御チャネルを介してターゲットユーザ端末にダウンリンク制御情報を送信するように設定され、
ターゲットユーザ端末は、物理ダウンリンク制御チャネルで前記ダウンリンク制御情報を受信し、直交カバーコード情報及び／又は循環シフト情報を取得するように設定される。
【００３３】
前記ダウンリンク制御情報には、マルチアンテナポート伝送及び／又はシングルアンテナポート伝送の物理アップリンク共有チャネルをスケジューリングすることに用いられる直交カバーコード情報及び／又は循環シフト情報が含まれる。
【００３４】
前記ダウンリンク制御情報には、基準信号のための循環シフトと直交カバーコードとの統合インジケータ情報が含まれる。
【００３５】
前記ダウンリンク制御情報には、復調基準信号のための循環シフト及び復調基準信号のための直交カバーコード情報が含まれる。
【００３６】
前記ダウンリンク制御情報には、復調基準信号のための循環シフトが含まれ、
前記基地局は、更に、上位階層シグナリングを介して直交カバーコード情報をユーザ端末に通知する。
前記ダウンリンク制御情報には、復調基準信号のための循環シフトを含む基準信号情報及びプレコーディング情報が含まれ、
前記基地局は、更に、シングルアンテナポート伝送モードの復調基準信号のみに対して直交カバーコードを使用する場合、プレコーディング情報では、２つの所定のプレコーディング情報値がシングルアンテナポート伝送モード及び復調基準信号のための直交カバーコードを表示することに用いられる。当該２つの所定のプレコーディング情報値及び保留値以外の他のプレコーディング情報値はマルチアンテナポート伝送モードを表示することに用いられ、直交カバーコードは復調基準信号に使用されない。
【００３７】
本発明の物理アップリンク共有チャネルのシグナリング構成のための方法及びシステムは、現在のＬＴＥシステムにおいて物理アップリンク共有チャネルのアップリンクスケジューリング情報における直交カバーコード（ＯＣＣ）情報の通知の問題を解決する。ダウンリンク制御情報に直交カバーコード情報及び／又は循環シフト情報を含み、ユーザ端末にダウンリンク制御情報を送信することによって、ユーザ端末に対する直交カバーコード（ＯＣＣ）情報の通知を実現する。本発明が多種の組み合わせられた通知方式を提供し、優れた適用性を持つ。ユーザ端末は、直交カバーコード（ＯＣＣ）情報を取得し、制御情報によってサービスを正確に実現でき、サービスの信頼性が向上する。
【図面の簡単な説明】
【００３８】
【図１】従来のアップリンクにおけるＳＵ−ＭＩＭＯを用いた送信側の信号処理の模式図である。
【図２】コードワードから階層へのマッピングの実施形態の模式図である。
【図３】レイヤシフティング前後の効果を示す実施形態の模式図である。
【図４】１つのアップリンクサブフレームにおけるパイロットシンボルの構造を示す図である。
【図５】物理アップリンク共有チャネルのシグナリング構成のシステムを示す模式図である。
【発明を実施するための形態】
【００３９】
ここで説明する図面は、本発明を更に理解させるためのものであり、本発明の一部を構成する。当該図面は、本発明の実施形態と共に本発明の解釈に用いられ、本発明を不当に限定するのではない。
【００４０】
本発明の目的、技術解決法及び利点を更にはっきりさせるために、以下、図面を参照しながら、本発明を詳しく説明する。
【００４１】
本発明は、従来の技術において物理アップリンク共有チャネルの制御情報に直交カバーコード（ＯＣＣ）のシグナリングインジケータ情報がない問題に対して、物理アップリンク共有チャネル（ＰＵＳＣＨ）の、循環シフト（ＣＳ）及び直交カバーコード（ＯＣＣ）に対するシグナル指示を実現するための、物理アップリンク共有チャネルのシグナリング構成のための方法及びシステムを提供する。本発明の技術解決法では、ダウンリンク制御情報（ＤＣＩ）を定義し、前記ダウンリンク制御情報を用いて直交カバーコード情報及び／又は循環シフト情報を提示する１種又は多種の情報を搬送する。前記ダウンリンク制御情報がシングルアンテナポート伝送とマルチアンテナポート伝送の物理アップリンク共有チャネルをスケジューリングすることに用いられ、又はマルチアンテナポート伝送の物理アップリンク共有チャネルのみスケジューリングすることに用いられる。前記ダウンリンク制御情報は物理ダウンリンク制御チャネルを介して、基地局からターゲットユーザ端末に送信される。
【００４２】
本発明の物理アップリンク共有チャネルのシグナリング構成のための方法では、基地局が物理ダウンリンク制御チャネルを介してターゲットユーザ端末にダウンリンク制御情報を送信する。また、前記ダウンリンク制御情報には、マルチアンテナポート伝送及び／又はシングルアンテナポート伝送の物理アップリンク共有チャネルをスケジューリングすることに用いられる直交カバーコード情報及び／又は循環シフト情報が含まれる。
【００４３】
前記ダウンリンク制御情報には以下のような３種類の搬送モードを用いてもよい。
【００４４】
モード１：前記ダウンリンク制御情報に搬送されたアップリンクスケジューリング情報が、復調基準信号のための循環シフトと直交カバーコードとを統合するインジケータ情報を含むが、これらに限られない。
【００４５】
復調基準信号のための循環シフトと直交カバーコードとを統合するインジケータ情報が３ビット又は４ビットである。
【００４６】
直交リソース（ｎ（２）ＤＭＲＳ（０）、ｎｏｃｃ）を用いて基地局がターゲットユーザ端末に送信した循環シフト及び直交カバーコードを合わせて示してもよい。
ｎ（２）ＤＭＲＳ（０）は基地局がダウンリンク制御情報を用いて、ターゲットユーザ端末の空間多重の第０階層データにおける復調基準信号のための循環シフトを提示し、又は空間多重の各階層データにおける復調基準信号のための循環シフトの基準値（又は、初期値、ベース値とも称する）を提示し、又はシングルアンテナポート伝送モードのユーザの復調基準信号のための循環シフトを提示することを表す。ｎ（２）ＤＭＲＳ（０）の値は０、２、３、４、６、８、９、１０のいずれか１つであってよい。ｎｏｃｃは、ターゲットユーザ端末の空間多重の第０階層データにおける復調基準信号のための直交カバーコードインデックスを表し、又はシングルアンテナポート伝送モードのユーザの復調基準信号のための直交カバーコードインデックスを表す。ｎｏｃｃ＝０は直交カバーコード［＋１、＋１］を使用することを意味し、ｎｏｃｃ＝１は直交カバーコード［＋１、−１］を使用することを意味する。
【００４７】
モード２：前記ダウンリンク制御情報に搬送されたアップリンクスケジューリング情報が、復調基準信号のための循環シフト情報及び復調基準信号のための直交カバーコード情報を含むが、これらに限られない。
【００４８】
前記復調基準信号のための循環シフト（Ｃｙｃｌｉｃ  ｓｈｉｆｔ  ｆｏｒ  ＤＭ  ＲＳ）の大きさが３ビットである。
（１）シングルアンテナポート伝送モードにとっては、前記復調基準信号のための循環シフトがシングルアンテナポート伝送の物理アップリンク共有チャネルの復調基準信号のための循環シフトである。
（２）マルチアンテナポート伝送モードにとっては、前記復調基準信号のための循環シフトｎ（２）ＤＭＲＳ（０）が空間多重の第０階層データにおける復調基準信号のための循環シフト、又は空間多重の各階層データにおける復調基準信号のための循環シフトの基準値（又は、初期値、ベース値とも称する）である。
【００４９】
前記復調基準信号のための直交カバーコード情報が１ビットの直交カバーコードイネーブル／構成情報である。周波数ホッピングがイネーブルでないか、又はチャネル状態指示要求がイネーブルでないか、レイヤシフティングがイネーブルである場合に、前記１ビットの直交カバーコードイネーブル／構成情報が、ダウンリンク制御情報における、周波数ホッピングフラグか、チャネル状態指示要求フラグか、伝送ブロック到コードワードのスワップフラグ（ｔｒａｎｓｐｏｒｔ  ｂｌｏｃｋｔｏ  ｃｏｄｅｗｏｒｄ  ｓｗａｐ  ｆｌａｇ）によって置き替えられる。
【００５０】
シングルアンテナポート又はシングルトランスポートブロックの伝送モードにとっては、前記１ビットの直交カバーコードイネーブル／構成情報が、ダウンリンク制御情報におけるトランスポートブロックからコードワードへのスワップマッピングフラグ又はレイヤシフティングイネーブルフラグによって置き替えられる。
【００５１】
マルチアンテナポート又はダブルトランスポートブロックの伝送モードにとっては、前記１ビットの直交カバーコードイネーブル／構成情報がデフォルトでイネーブルでないか構成されない。
【００５２】
直交カバーコードがイネーブルであるか、直交カバーコードが構成された場合に、ユーザの循環シフト及び直交カバーコードは１６種類の状態がある。
【００５３】
モード３：前記ダウンリンク制御情報に搬送されたアップリンクスケジューリング情報が復調基準信号のための循環シフトを含むが、これらに限られない。
前記直交カバーコード情報がネットワーク側より上位階層シグナリングを介してユーザ端末に通知する。
【００５４】
前記復調基準信号のための循環シフト（Ｃｙｃｌｉｃ  ｓｈｉｆｔ  ｆｏｒ  ＤＭ  ＲＳ）の大きさが３ビットである。
（１）シングルアンテナポート伝送モードにとっては、前記復調基準信号のための循環シフトはシングルアンテナポート伝送の物理アップリンク共有チャネルの復調基準信号のための循環シフトである。
（２）マルチアンテナポート伝送モードにとっては、前記復調基準信号のための循環シフトｎ（２）ＤＭＲＳ（０）は空間多重の第０階層データにおける復調基準信号のための循環シフト、又は空間多重の各階層データにおける復調基準信号のための循環シフトの基準値（又は、初期値、ベース値とも称する）である。
【００５５】
当該モードでは、直交カバーコード情報がダウンリンク制御情報を介して搬送されない。前記直交カバーコード情報は直交カバーコードイネーブル／構成情報であり、直交カバーコードのイネーブル／構成は、例えば、無線リソース制御（Ｒａｄｉｏ  Ｒｅｓｏｕｒｃｅ  Ｃｏｎｔｒｏｌ：ＲＲＣ）のシグナリングのような上位階層シグナリングを介して指示される。
【００５６】
図５に示すように、物理アップリンク共有チャネルのシグナリング構成のためのシステムが示され、基地局及びターゲットユーザ端末を含む。
基地局は、物理ダウンリンク制御チャネルを介してターゲットユーザ端末にダウンリンク制御情報を送信することに用いられる。
ターゲットユーザ端末は、物理ダウンリンク制御チャネルで前記ダウンリンク制御情報を受信し、直交カバーコード情報及び／又は循環シフト情報を取得することに用いられる。
前記ダウンリンク制御情報がマルチアンテナポート伝送及び／又はシングルアンテナポート伝送の物理アップリンク共有チャネルをスケジューリングすることに用いる直交カバーコード情報及び／又は循環シフト情報を含んでいる。
【００５７】
前記ダウンリンク制御情報には、基準信号のための循環シフトと基準信号のための直交カバーコードとを統合するインジケータ情報が含まれるが、これらに限られない。
【００５８】
前記ダウンリンク制御情報には、復調基準信号のための循環シフト及び復調基準信号のための直交カバーコード情報が含まれるが、これらに限られない。
【００５９】
前記ダウンリンク制御情報には、復調基準信号のための循環シフトを含むが、これに限られない。
【００６０】
前記基地局が、上位階層シグナリングを介して直交カバーコード情報をユーザ端末に通知することに用いられる。
【００６１】
前記ダウンリンク制御情報には、基準信号情報及びプレコーディング情報を含むが、これらに限られず、前記基準信号情報が復調基準信号のための循環シフトを含む。
シングルアンテナポート伝送モードの復調基準信号のみに直交カバーコードを用いると、前記基地局がプレコーディング情報で、２つの所定のプレコーディング情報値を用いてシングルアンテナポート伝送モード及び復調基準信号のための直交カバーコードを表示する。
当該２つの所定のプレコーディング情報値及び保留値以外の他のプレコーディング情報値を用いてマルチアンテナポート伝送モードを表示し、直交カバーコードは復調基準信号を使用しない。
【００６２】
実施形態１
ＬＴＥ−Ａシステムでは、基地局が前記ダウンリンク制御情報を介して、シングルアンテナポート伝送又はマルチアンテナポート伝送の物理アップリンク共有チャネルをスケジューリングする。前記ダウンリンク制御情報は物理ダウンリンク制御チャネルを介して、基地局からターゲットユーザ端末に送信される。
【００６３】
前記ダウンリンク制御情報に搬送されたアップリンクスケジューリング情報では、復調基準信号のための循環シフトと直交カバーコードとの統合インジケータ情報を含むが、これらに限られない。復調基準信号のための循環シフトと直交カバーコードとを統合するインジケータ情報が３ビット又は４ビットである。
【００６４】
直交リソース（ｎ（２）ＤＭＲＳ（０）、ｎｏｃｃ）を用いて基地局がターゲットユーザ端末に送信した循環シフト及び直交カバーコードを合わせて示してよい。
ｎ（２）ＤＭＲＳ（０）は、基地局がＤＣＩシグナリングを用いてターゲットユーザ端末の空間多重の第０階層データにおける復調基準信号のための循環シフトを提示し、又は空間多重の各階層データにおける復調基準信号のための循環シフトの基準値（又は、初期値、ベース値とも称する）を提示し、又はシングルアンテナポート伝送モードのユーザの復調基準信号のための循環シフトを提示することを表す。
ｎ（２）ＤＭＲＳ（０）の値は、０、２、３、４、６、８、９、１０のいずれか１つであってよい。
ｎｏｃｃは、ターゲットユーザ端末の空間多重の第０階層データにおける復調基準信号のための直交カバーコードインデックスを表し、又はシングルアンテナポート伝送モードのユーザの復調基準信号のための直交カバーコードインデックスを表す。
ｎｏｃｃ＝０は直交カバーコード［＋１、＋１］を使用することを意味し、ｎｏｃｃ＝１は直交カバーコード［＋１、−１］を使用することを意味する。
【００６５】
更に、前記３ビットＤＣＩ情報が表示した第１の８つの好ましい組み合わせ（ｎ（２）ＤＭＲＳ（０）、ｎｏｃｃ）は、（０、０）、（３、０）、（６、０）、（９、０）、（０、１）、（３、１）、（６、１）、（９、１）であり、具体的には表２に示すとおりである。
表２：循環シフト及び直交カバーコードの第１の好ましい状態組み合わせ
【００６６】
【表２】
2013516863.tif 000004
【００６７】
更に、前記３ビットＤＣＩ情報が表示した第２種の８つの好ましい組み合わせ（ｎ（２）ＤＭＲＳ（０）、ｎｏｃｃ）は、（０、０）、（３、０）、（６、０）、（９、０）、（２、１）、（４、１）、（８、１）、（１０、１）であり、表３に示すとおりである。
表３：循環シフト及び直交カバーコードの第２の好ましい状態組み合わせ
【００６８】
【表３】
2013516863.tif 000005
【００６９】
更に、前記３ビットＤＣＩ情報が表示した第３の８つの好ましい組み合わせ（ｎ（２）ＤＭＲＳ（０）、ｎｏｃｃ）は、（２、０）、（４、０）、（８、０）、（１０、０）、（０、１）、（３、１）、（６、１）、（９、１）であり、表４に示すとおりである。
表４：循環シフト及び直交カバーコードの第３の好ましい状態組み合わせ
【００７０】
【表４】
2013516863.tif 000006
【００７１】
更に、前記３ビットＤＣＩ情報が表示した第４種の８つの好ましい組み合わせ（ｎ（２）ＤＭＲＳ（０）、ｎｏｃｃ）は、（２、０）、（４、０）、（８、０）、（１０、０）、（２、１）、（４、１）、（８、１）、（１０、１）であり、表５に示すとおりである。
表５：循環シフト及び直交カバーコードの第４の好ましい状態組み合わせ
【００７２】
【表５】
2013516863.tif 000007
【００７３】
更に、前記４ビットＤＣＩ情報が表示した第５の１６個の好ましい組み合わせ（ｎ（２）ＤＭＲＳ（０）、ｎｏｃｃ）は、（０、０）、（２、０）、（３、０）、（４、０）、（６、０）、（８、０）、（９、０）、（１０、０）、（０、１）、（２、１）、（３、１）、（４、１）、（６、１）、（８、１）、（９、１）、（１０、１）である。
【００７４】
実施形態２
ＬＴＥ−Ａシステムでは、基地局が前記ダウンリンク制御情報を介して、シングルアンテナポート伝送又はマルチアンテナポート伝送の物理アップリンク共有チャネルをスケジューリングする。前記ダウンリンク制御情報は物理ダウンリンク制御チャネルを介して、基地局からターゲットユーザ端末に送信される。
【００７５】
前記ダウンリンク制御情報に搬送されたアップリンクスケジューリング情報は、復調基準信号のための循環シフト及び復調基準信号のための直交カバーコード情報を含むが、これらに限られない。
【００７６】
ここで、前記復調基準信号のための循環シフト（Ｃｙｃｌｉｃ  ｓｈｉｆｔ  ｆｏｒ  ＤＭ  ＲＳ）の大きさが３ビットである。
（１）シングルアンテナポート伝送モードにとっては、前記復調基準信号のための循環シフトはシングルアンテナポート伝送の物理アップリンク共有チャネルの復調基準信号のための循環シフトである。
（２）マルチアンテナポート伝送モードにとっては、前記復調基準信号のための循環シフトｎ（２）ＤＭＲＳ（０）は、空間多重の第０階層データにおける復調基準信号のための循環シフト、又は空間多重の各階層データの復調基準信号のための循環シフトの基準値（又は、初期値、ベース値とも称する）である。
【００７７】
前記復調基準信号のための直交カバーコード情報は１ビットの直交カバーコードイネーブル／構成情報である。周波数ホッピングがイネーブルでないか、チャネル状態指示要求がイネーブルでないか、レイヤシフティングがイネーブルである場合に、前記１ビットの直交カバーコードイネーブル／構成情報が、ダウンリンク制御情報における周波数ホッピングフラグか、チャネル状態指示要求ビットか、伝送ブロック到コードワードのスワップマッピングフラグによって置き替えられる。
【００７８】
シングルアンテナポート又はシングルトランスポートブロックの伝送モードにとっては、前記１ビットの直交カバーコードイネーブル／構成情報が、ダウンリンク制御情報におけるトランスポートブロックからコードワードへのスワップマッピングフラグ又はレイヤシフティングイネーブルフラグによって置き替えられる。
【００７９】
マルチアンテナポート又はダブルトランスポートブロックの伝送モードにとっては、前記１ビットの直交カバーコードイネーブル又は構成情報がデフォルトでイネーブルでないか構成されない。
【００８０】
直交カバーコードイネーブル／構成の場合に、ユーザの循環シフト及び直交カバーコードは表６に示すとおりの１６種類の状態がある。
表６：循環シフト及び直交カバーコードの第５の好ましい状態組み合わせ
【００８１】
【表６】
2013516863.tif 000008
【００８２】
実施形態３
ＬＴＥ−Ａシステムでは、基地局が前記ダウンリンク制御情報を介して、シングルアンテナポート伝送又はマルチアンテナポート伝送の物理アップリンク共有チャネルをスケジューリングする。前記ダウンリンク制御情報フォーマットは物理ダウンリンク制御チャネルを介して、基地局からターゲットユーザ端末に送信される。
【００８３】
前記ダウンリンク制御情報に搬送されたアップリンクスケジューリング情報は、復調基準信号のための循環シフト（Ｃｙｃｌｉｃ  ｓｈｉｆｔ  ｆｏｒ  ＤＭ  ＲＳ）を含むが、これに限られなく、その大きさが３ビットである。
（１）シングルアンテナポート伝送モードにとっては、前記復調基準信号のための循環シフトはシングルアンテナポート伝送の物理アップリンク共有チャネルの復調基準信号のための循環シフトである。
（２）マルチアンテナポート伝送モードにとっては、前記復調基準信号のための循環シフトｎ（２）ＤＭＲＳ（０）は空間多重の第０階層データにおける復調基準信号のための循環シフト、又は空間多重の各階層データにおける復調基準信号のための循環シフトの基準値（又は初期値、ベース値と称する）である。
【００８４】
直交カバーコード情報にとって、直交カバーコードのイネーブル／構成が、例えば、無線リソース制御（Ｒａｄｉｏ  Ｒｅｓｏｕｒｃｅ  Ｃｏｎｔｒｏｌ：ＲＲＣ）のシグナリングのような上位階層シグナリングを介して指示される。
【００８５】
実施形態４
ＬＴＥ−Ａシステムでは、基地局が前記ダウンリンク制御情報を介して、シングルアンテナポート伝送又はマルチアンテナポート伝送の物理アップリンク共有チャネルをスケジューリングする。前記ダウンリンク制御情報は物理ダウンリンク制御チャネルを介して、基地局からターゲットユーザ端末に送信される。
【００８６】
前記ダウンリンク制御情報に搬送されたアップリンクスケジューリング情報種類は、復調基準信号情報及びプレコーディング情報を含むが、これらに限られない。
【００８７】
前記復調基準信号情報は、復調基準信号のための循環シフト（Ｃｙｃｌｉｃ  ｓｈｉｆｔ  ｆｏｒ  ＤＭ  ＲＳ）を含み、その大きさが３ビットである。
（１）シングルアンテナポート伝送モードにとっては、前記復調基準信号のための循環シフトはシングルアンテナポート伝送の物理アップリンク共有チャネルの復調基準信号のための循環シフトである。
（２）マルチアンテナポート伝送モードにとっては、前記復調基準信号のための循環シフトｎ（２）ＤＭＲＳ（０）は空間多重の第０階層データにおける復調基準信号のための循環シフト、又は空間多重の各階層データにおける復調基準信号のための循環シフトの基準値（又は、初期値、ベース値とも称する）である。
【００８８】
前記プレコーディング情報が、ＰＭＩ情報を含み、それが３ビット又は６ビットである。
シングルアンテナポート伝送モードの復調基準信号のみに直交カバーコードを用いると、プレコーディング情報で、１つの所定のプレコーディング情報値は、シングルアンテナポート伝送モードであることを提示することに用いられる。復調基準信号のための直交カバーコードが［＋１、＋１］である。もう１つの所定のプレコーディング情報値は、シングルアンテナポート伝送モードであることを提示することに用いられる。復調基準信号のための直交カバーコードが［＋１、−１］である。上記２つの所定値及び保留値以外の他のプレコーディング情報値は、マルチアンテナポート伝送モードであることを提示することに用いられ、直交カバーコードが復調基準信号のために用いられない。
【００８９】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【産業上の利用可能性】
【００９０】
本発明の物理アップリンク共有チャネルのシグナリング構成のための方法及びシステムは、現在のＬＴＥシステムにおいて物理アップリンク共有チャネルのアップリンクスケジューリング情報における直交カバーコード（ＯＣＣ）情報に対する通知の問題を解決し、ダウンリンク制御情報に直交カバーコード情報及び／又は循環シフト情報が含まれ、そしてユーザ端末にダウンリンク制御情報を送信してユーザ端末に対する直交カバーコードＯＣＣ情報の通知を実現する。本発明は、多種の組み合わせの指示方式を提供し、優れた適用性を持つ。ユーザ端末が直交カバーコードＯＣＣ情報を取得し、制御情報によってサービスを正確に実現でき、サービスの信頼性が向上する。
【図１】
2013516863.tif 000009
【図２】
2013516863.tif 000010
【図３】
2013516863.tif 000011
【図４】
2013516863.tif 000012
【図５】
2013516863.tif 000013
【手続補正書】
【提出日】平成24年9月18日(2012.9.18)
【手続補正１】
【補正対象書類名】明細書
【補正対象項目名】００６１
【補正方法】変更
【補正の内容】
【００６１】
前記ダウンリンク制御情報には、基準信号情報及びプレコーディング情報を含むが、これらに限られず、前記基準信号情報が復調基準信号のための循環シフトを含む。
シングルアンテナポート伝送モードの復調基準信号のみに直交カバーコードを用いると、前記基地局がプレコーディング情報で、２つの所定のプレコーディング情報値を用いてシングルアンテナポート伝送モード及び復調基準信号のための直交カバーコードを表示する。
当該２つの所定のプレコーディング情報値及び保留値以外の他のプレコーディング情報値を用いてマルチアンテナポート伝送モードを表示し、直交カバーコードは復調基準信号に使用されない。
【手続補正書】
【提出日】平成24年9月21日(2012.9.21)
【手続補正１】
【補正対象書類名】特許請求の範囲
【補正対象項目名】請求項１６
【補正方法】変更
【補正の内容】
【請求項１６】
前記ダウンリンク制御情報には、復調基準信号のための循環シフトとプレコーディング情報が含まれ、
シングルアンテナポート伝送モードの復調基準信号のみに対して直交カバーコードを使用する場合、プレコーディング情報では、２つの所定のプレコーディング情報値が、シングルアンテナポート伝送モード及び復調基準信号のための直交カバーコードを提示することに用いられ、
当該２つの所定のプレコーディング情報値及び保留値以外の他のプレコーディング情報値は、マルチアンテナポート伝送モードを提示することに用いられ、直交カバーコードは復調基準信号に使用されない
請求項１に記載のシグナリング構成のための方法。
【手続補正２】
【補正対象書類名】特許請求の範囲
【補正対象項目名】請求項２１
【補正方法】変更
【補正の内容】
【請求項２１】
前記ダウンリンク制御情報には、復調基準信号のための循環シフトを含む基準信号情報及びプレコーディング情報が含まれ、
前記基地局が、シングルアンテナポート伝送モードの復調基準信号のみに対して直交カバーコードを使用する場合、プレコーディング情報では、２つの所定のプレコーディング情報値が、シングルアンテナポート伝送モード及び復調基準信号のための直交カバーコードを提示することに用いられ
当該２つの所定のプレコーディング情報値及び保留値以外の他のプレコーディング情報値が、マルチアンテナポート伝送モードを提示することに用いられ、前記直交カバーコードは前記復調基準信号に使用されない
請求項１７に記載のシグナリング構成のためのシステム。
【国際調査報告】
2013516863.tif 000014
2013516863.tif 000015
2013516863.tif 000016
2013516863.tif 000017
2013516863.tif 000018
2013516863.tif 000019
2013516863.tif 000020